(57)【特許請求の範囲】
【請求項１】
移動局(１００)とデジタル無線データ伝送システムとの間でデータ伝送を実現する方法であって、前記デジタル無線データ伝送システムが、第１のプロトコルに従ってメッセージを処理する無線アクセス・ネットワーク(１０４，１０５、１０６)と、第２のプロトコルに従ってメッセージを処理するコア・ネットワーク(１０１、１０２、１０３)とを有する前記方法において、前記移動局の中で、前記第１のプロトコルに従ってメッセージが所定の下位プロトコル層(３０５)で処理され、前記第２のプロトコルに従ってメッセージが所定の上位プロトコル層(３０２、３０３、３０４)で処理され、前記上位プロトコル層と前記下位プロトコル層との間に配置されたアダプテーション層(３０１)において、前記第１及び第２のプロトコルに従ってメッセージが相互の中へマッピングされる適応化が行われるようにすることを特徴とする方法。
【請求項２】
前記第１のプロトコルが第３世代デジタルセルラー無線システムのデータ伝送プロトコルであり、さらに、前記第２のプロトコルが第２世代デジタルセルラー無線システムのデータ伝送プロトコルであることを特徴とする請求項１記載の方法。
【請求項３】
前記第１のプロトコルが、ＯＳＩモデルの層２と３に対応して、物理無線接続に対応するＬ１層(２００)と、そのＬ１層の上位に、ＲＬＣ/ＭＡＣ層(２０２)と、ＬＬＣ層(２０４)と、ＲＲＣ層(２０６)とを前記移動局と前記無線アクセス・ネットワーク基地局サブシステムとの間に有し、また、前記第２のプロトコルがＧＳＭ ＭＭ層(３０２)を有するＧＳＭシステムのデータ伝送プロトコルであることを特徴とする請求項２記載の方法。
【請求項４】
前記第１のプロトコルが、ＯＳＩモデルの層２と３に対応して、物理無線接続に対応するＬ１層(２００)と、そのＬ１層の上位に、ＲＬＣ/ＭＡＣ層(２０２)と、ＬＬＣ層(２０４)と、ＲＲＣ層(２０６)とを前記移動局と前記無線アクセス・ネットワーク基地局サブシステムとの間に有し、また、前記第２のプロトコルがＧＰＲＳ ＭＭ層(３０３)を有するＧＰＲＳシステムのデータ伝送プロトコルであることを特徴とする請求項２記載の方法。
【請求項５】
前記第１のプロトコルが第３世代デジタルセルラー無線システムのデータ伝送プロトコルであり、さらに、前記第２のプロトコルが第３世代デジタルセルラー無線システムのコア・ネットワークのデータ伝送プロトコルであることを特徴とする請求項１記載の方法。
【請求項６】
前記アダプテーション層(３０１)がそのアダプテーション層の上位に配置されたプロトコル層に対して少なくとも２つの並列サービス・アクセス・ポイント(３０６、３０７、３０８)を提供し、相互に任意選択の第２プロトコルを前記第１のプロトコルと適応させるようにすることを特徴とする請求項１記載の方法。
【請求項７】
所定のプロトコル・スタックに従うデータ伝送を無線アクセス・ネットワークを用いて実現する手段を有するセルラー無線システム移動局であって、前記プロトコル・スタック内に、所定の第１のプロトコルに従って下位プロトコル層を、また所定の第２のプロトコルに従って上位プロトコル層を有し、前記第１及び第２のプロトコルに従ってメッセージが相互の中へマッピングされるような双方向適応化を行うアダプテーション層が、これら上下位のプロトコル層の間に設けられることを特徴とする移動局。
【請求項８】
所定の第１の上位プロトコル層と、前記第１のプロトコル層に対する任意選択として第２の上位プロトコル層と、さらに、どちらの上位プロトコル層から所定のメッセージが受信されたかを前記アダプテーション層において識別する手段とを有することを特徴とする請求項７記載の移動局。
【請求項９】
前記第１の上位プロトコル層がＧＳＭ ＭＭ層であり、さらに、前記第２の上位プロトコル層がＧＰＲＳ ＭＭ層であることを特徴とする請求項８に記載の移動局。
【発明の詳細な説明】
【０００１】
本発明は、一般に、デジタル無線データ伝送方式におけるプロトコル間の適応化の実行に関する。特に、本発明は、所定の一般的に定義された無線アクセス・ネットワークを介して、いくつかの異なるコア・ネットワークによって提供されるサービスを移動局が利用できるシステムにおける適応化の実行に関する。本明細書では、“無線”という用語は、移動局が自由に移動可能で、システムの基地局と無線接続を持つことができることを意味する。
【０００２】
デジタルデータ伝送プロトコルを利用する機能は、ＯＳＩ(開放型システム間相互接続)モデルに準拠するスタックとして通常記述され、このモデルでは、スタックの様々な層のタスク並びに層間のデータ伝送が正確に規定されている。ＧＳＭ(移動通信用広域システム)システムは本特許出願でデジタル無線データ伝送方式の一例として述べるシステムであるが、このシステムでは、５つのオペレーショナル（ｏｐｅｒａｔｉｏｎａｌ）層が存在する。最下位層は伝送層であり、この層の最上位には、ＲＲ(無線資源管理)層、ＭＭ(移動性管理)層、ＣＭ(通信管理)層及びＯＡＭ(保守運用)層の順に層が配置されている。最後に述べたＯＡＭ層は、概念的に、同じプロトコル・スタックの中に残りの層と一緒に必ずしも常時配置されるというわけではない。それは、ユーザーがその他の層から得るサービスの価値をこの層が直接増加させるものではないためである。基地送受信局(ＢＴＳ)と基地局コントローラ(ＢＳＣ)とによって形成される基地局サブシステム(ＢＳＳ)は主として伝送層とＲＲ層で作動する。これに対して、移動局(ＭＳ)と移動サービス交換センター(ＭＳＣ)とはそれらの作動時に伝送層からＣＭ層までの層を設ける。ホーム・ロケーション・レジスター(ＨＬＲ)のオペレーションはＭＭ層とＣＭ層に集中し、ゲートウェイＭＳＣ(ＧＭＳＣ)はＣＭ層だけで作動する。
【０００３】
デジタル無線データ伝送方式の発達と共に、移動局が、いくつかの異なるコア・ネットワーク(ＣＮ)によって提供されるサービスを利用できることが好都合である状況が創りだされている。この新しい状況で、基地局サブシステムによって形成されたエンティティは無線アクセス・ネットワーク(ＲＡＮ)と呼ばれ、コア・ネットワークが様々な中央システムから形成される。この中央システムは多目的データ伝送という可能性に加えて、自動データ伝送、地図及び所在位置情報、バンキングと購入サービス、娯楽などのような様々な優れた能力を持つ（ｓｍａｒｔ）ネットワーク・サービスの提供を行うことができる。図１は、第３世代デジタルセルラー無線システムのための提案を示す略図であり、この中で、移動局１００とコア・ネットワーク１０１、１０２、１０３との間で１つまたはいくつかの無線アクセス・ネットワーク１０４、１０５、１０６が作動可能となる。所定の無線アクセス・ネットワークを介して、移動局１００は、例えば図示のように、無線アクセス・ネットワーク１０４を介して、コア・ネットワーク１０１または１０２のようないくつかのコア・ネットワークと接続することができる。また、例えば図示のように無線アクセス・ネットワーク１０４または１０５を介する移動局１００とコア・ネットワーク１０２との間の接続のような、移動局と所定のコア・ネットワークとの間の接続をそれぞれ２つ以上の無線アクセス・ネットワークを介して行うことが可能となる。無線アクセス・ネットワーク１０４は、１つだけのコア・ネットワーク用としては利用できないが、一般無線アクセス・ネットワーク(ＧＲＡＮ)あるいはＵＴＲＡ(ＵＭＴＳ地上無線アクセス、全世界的移動通信システム)と呼称される。
【０００４】
図１のような状況で生じる問題点は異なるプロトコル層間でのデータ伝送と関係する。プロトコル層間の関係が図２に示されている。移動局ＭＳと一般無線アクセス・ネットワークＵＴＲＡの基地局サブシステムＢＳＳとの間の最下位プロトコル層は層１(Ｌ１)２００、２０１であり、この層は物理無線接続に対応する。この層の上位に層２と３、あるいは、通常のＯＳＩモデルに対応するエンティティが配置される。この場合、最下位層は無線リンク制御/媒体アクセス制御(ＲＬＣ/ＭＡＣ)層２０２、２０３である。この層の上位に論理リンク制御(ＬＬＣ)層２０４、２０５、最上位に無線資源制御(ＲＲＣ)層２０６、２０７が配置される。一般無線アクセス・ネットワークの基地局サブシステムＵＴＲＡ ＢＳＳと、コア・ネットワークに配置される網間接続（ｉｎｔｅｒｗｏｒｋｉｎｇ）ユニット/コア・ネットワークＩＷＵ/ＣＮとの間に、いわゆるＩｕインターフェースの適用が想定される。その場合Ｌ１からＬＬＣまでの上述の層に対応する層はＯＳＩモデルの層Ｌ１とＬ２(図面のブロック２０８と２０９)であり、上述のＲＲＣ層に対応する層はＯＳＩモデルの層Ｌ３(図面のブロック２１０と２１１)である。
【０００５】
移動局ＭＳはより高レベルの制御プロトコル２１２と、より高レベルのユーザーに役立つプロトコル２１３とを含まなければならない。これらのプロトコルの中で、前者はデータ伝送接続と関係する制御機能を実現するためにＲＲＣ層２０６と通信し、後者はユーザーに直接役立つようなデータ(例えばデジタル符号化された音声)を伝送するためにＬＬＣ層２０４と直接通信する。ＧＳＭシステムの移動局では、ブロック２１２と２１３は上述のＭＭ層の中に含まれる。
【０００６】
コア・ネットワークによって提供されるサービスには著しい差が含まれる。移動局ＭＳがいくつかの異なるコア・ネットワークを利用できなければならない場合、移動局ＭＳの中には、移動局ＭＳが各時点で通信するコア・ネットワークに応じて、コア・ネットワーク・アプリケーションに依存する様々な上位プロトコル層２１２と２１３が含まれなければならない。コア・ネットワークのさらなる開発が続けられているので、プロトコル層２１２と２１３の能力と動作は調整可能でなければならない。その一方で、完全な第２世代コア・ネットワークが既に存在するので、無線アクセス・ネットワークが第３世代に属するという事実にかかわりなく、移動局が、第２世代接続サービスも利用できると好都合である。
【０００７】
本発明の目的は、移動局が第３世代無線アクセス・ネットワークの網間接続を介して異なるコア・ネットワークにより提供されるサービスの利用を可能にする方法とシステムを導入することである。
【０００８】
本発明の目的は、ＬＬＣとＲＲＣ層の最上位に配置されるアダプテーション層を備えた移動局を提供することにより達成される。前記アダプテーション層は下位方向へ標準化されたインターフェースを有し、該アダプテーション層の最上位に配置された層が使用するプリミティブとＬＬＣとＲＲＣ層のプリミティブとの間で双方向マッピングが行われる。本明細書においては、プリミティブという用語はプロトコル層間での基本メッセージを指すものとする。
【０００９】
本発明による方法は、移動局がある一定の下位プロトコル層で第１のプロトコルに従ってメッセージを処理し、またある一定の上位プロトコル層で第２のプロトコルに従ってメッセージを処理し、上位及び下位のプロトコル層間に配置されたアダプテーション層で、メッセージが第１及び第２のプロトコルに従って相互に対応するようにマッピングが行われる適応化を行うことを特徴とする。
【００１０】
また、本発明は、所定の第１のプロトコルに準拠する下位プロトコル層と、所定の第２のプロトコルに準拠する上位プロトコル層とを前記プロトコル・スタック中に有し、これら上位及び下位のプロトコル層間に、第１及び第２のプロトコルに従ってメッセージが相互に対応するようにマッピングされるような双方向適応化を行うためのアダプテーション層を有することを特徴とする移動局にも関する。
【００１１】
一般無線アクセス・ネットワークと移動局との間で、無線ベアラ・サービスとして接続が実現され、１つの特定移動局がいくつかの同時無線ベアラ・サービスを持つことが可能となる。第３世代システムは、１つの移動局と基地送受信局との間で無線ベアラ・サービスの確立と解除とが移動局と基地送受信局の相互に関係なく可能であることを特徴とする。さらに、各無線ベアラ・サービスはビットレート、サービス品質及びデータの伝送方向のようなある一定の典型的プロパティを有する。本発明によるアダプテーション層は、上位プロトコル層の必要性と、第３世代無線アクセス・ネットワークによって提供される可能性とを以下の原理に従って相互に関連づけるものである。
サービス・アクセス・ポイント(ＳＡＰ)はアダプテーション層と上位プロトコル層との間で実現される。サービス・アクセス・ポイントはアダプテーション層と無線アクセス・ネットワークのプロトコル層との間では必要とされない。
アダプテーション層は、上位プロトコル層のプリミティブを無線アクセス・ネットワークのプリミティブの中へマッピングし、その逆もまた同様であるという点で双方向で利用可能である。このようにして、無線アクセス・ネットワークのプロトコル層によって、上位プロトコル層からの要求が受信され、応答とメッセージとが上位プロトコル層へ送られる。
アダプテーション層は、移動局と無線アクセス・ネットワークとの間でアクティブ無線ベアラ・サービスのリストを保持することができる。
アダプテーション層は、ネットワーク側に特定のピア・エンティティ（ｐｅｅｒ  ｅｎｔｉｔｙ）を持たないが、それぞれの動作（ａｃｔｉｏｎ）は無線アクセス・ネットワークとコア・ネットワーク間の接続の一部として実現される。
アダプテーション層に起因して、第２世代の上位プロトコル層から見ると第３世代無線アクセス・ネットワークは透過的（ｔｒａｎｓｐａｒｅｎｔ）である。
アダプテーション層には、当該上位プロトコル層の必要性に応じて、無線ベアラ・サービスと、無線アクセス・ネットワークに特有の処理とを開始するために必要な優れた能力を持つ機能が含まれる。
アダプテーション層は、第２世代の上位プロトコル層では直接利用できないけれども、例えば、容量上の理由のために現在のセルでは不可能な、移動局からの接続要求を妨げるような追加情報を無線アクセス・ネットワークから受信することが可能である。
アダプテーション層にはインターフェースを含むことができ、このインターフェースを介して、移動局によってサポートされるコア・ネットワーク・プロトコルの選択と変更とが可能となる。
【００１２】
推奨実施例と添付図面とを参照しながら以下より詳細に本発明について説明する。
【００１３】
本明細書において、従来技術についての説明と関連して、図１と２については既に言及したので、以下の本発明及びその推奨実施例の説明では図３〜５を参照する。図中、いくつかの類似部分については類似の参照番号が用いられる。
【００１４】
図３には、本発明の推奨実施例の移動局におけるある一定のプロトコル層の相互関係が示されている。本発明によるアダプテーション層はＵＡＬ(ＵＭＴＳアダプテーション層、全世界的移動通信システム)と呼ばれ、参照番号３０１が付けられる。プロトコル階層ではそれの上位に、互いに任意選択であるいくつかの並列のより高レベルのプロトコルが存在してもよい。この図面には、ＧＳＭ ＭＭプロトコル層３０２、ＧＰＲＳ ＭＭプロトコル層３０３(一般パケット無線サービス、移動性管理)、並びに、別のプロトコル層３０４、例えばＢ−ＩＳＤＮ(広帯域サービス統合デジタル網)などが示されている。プロトコル階層のＵＡＬの下位に、一般にプロトコル・スタック部分をマッピングするＲＮＬ層３０５が存在して、移動局と基地送受信局間の無線アクセス・ネットワークの中で適用される(図２の層２００-２０２-２０４-２０６参照)。上位プロトコル層３０２、３０３、３０４から見ると、ＵＡＬ３０１は、１グループのＳＡＰ(サービス・アクセス・ポイント)と考えられ、このグループの中には、ＧＳＭ ＭＭ用として設計されたＲＲ-ＳＡＰ３０６(無線資源管理サービス・アクセス・ポイント)、ＧＰＲＳ ＭＭ用として設計されたＧＭＭＲＲ ＳＡＰ３０７(ＧＰＲＳ ＭＭ-ＲＲサービス・アクセス・ポイント)及び別のより高レベルのプロトコル用として設計されたＸＸＸ-ＳＡＰ３０８が含まれる。但し、ＸＸＸは、ブロック３０４が表すプロトコルを識別するための任意の記号を指す。一般に、サービス・アクセス・ポイントとは、所定のプロトコル・エンティティが別のエンティティへ提供するインターフェースを意味し、もう一方のプロトコル・エンティティが任意の利用可能なサービス・アクセス・ポイントを自由に選択できるように、これらのインターフェースのいくつかを利用することができる。
【００１５】
本発明の目的の特別のケースとして、移動局が、ＧＳＭシステムに従って上位プロトコル層を利用できる場合がある。したがって以下本明細書において、移動局と無線アクセス・ネットワーク間でのＧＳＭシステムに準拠する接続利用について特に論じることにする。この説明は第２世代コア・ネットワークに依存する他のシステムについても容易に一般化することができるものである。ＧＳＭシステムでは、移動局と基地送受信局間での最も単純な接続は、例えば、所在位置更新手続きを行うために必要な、移動局側から開始される信号接続である。第３世代無線アクセス・ネットワークでは、移動局と無線アクセス・ネットワーク間での最も単純な接続はＩＲＢ(初期無線ベアラ)であり、このベアラは、移動局と基地送受信局との間で確立される第１の無線ベアラ・サービスである。接続が解除される場合ＩＲＢは最後に解除される。本発明によるアダプテーション層は、図４に従う方法でＧＳＭ信号接続をＩＲＢとしてマッピングするものである。この結果、ＧＳＭ-ＭＭ層３０２から送られたＲＲ ＥＳＴ ＲＥＱメッセージ４０２によって、本発明によるＵＡＬ３０１がＲＮＬ層３０５へＲＢＣ Ｓｅｔｕｐ ｒｅｑメッセージ４０３を送ることになる。このメッセージはＲＮＬによってＲＢＣ層(無線ベアラ制御、図面には別個に示されていない)へ送信される。この送信によってＩＲＢの確立が生じる。この確立は従来技術に従って行われ、図４に矢印４０４で示されている。ＩＲＢの確立に対する応答として、ＲＮＬはＵＡＬへＲＢＣ Ｓｅｔｕｐ ｃｎｆメッセージ４０５を送信する。ＵＡＬはこのメッセージをＧＳＭ-ＭＭ層が理解するＲＲ ＥＳＴ ＣＮＦメッセージ４０６にマッピングする。
【００１６】
上位プロトコル層から到来するメッセージ(図４のメッセージ４０２)を正確にマッピングすることができるようにするために、ＵＡＬはおそらくメッセージ中に含まれるパラメータの値を調べなければならない。図４で、移動局所在位置の更新が行われると仮定する。この時、矢印４０２で記述されるＲＲ ＥＳＴ ＲＥＱメッセージには確立原因パラメータ値が含まれ、このパラメータは信号更新を意味する。ＵＡＬ３０１は、信号伝送のみで信号更新が行われることを認知して、ＵＡＬ３０１によって構成されたＲＢＣ Ｓｅｔｕｐ ｒｅｑメッセージ４０３の中で、ベアラ・サービスの確立要求がＩＲＢの確立を指しているものにすぎないことをＲＮＬ３０５に伝える。ＲＢＣ Ｓｅｔｕｐ ｒｅｑメッセージ４０３は、本発明によって設定される制約を全く受けずに、例えばベアラ・クラスまたは所望のベアラ・サービスのアクセス・クラスを記述することができるいくつかの異なるタイプのパラメータを含むことができる。これら２つのベアラ・クラスの中で、所定のベアラ・サービス・タイプが、所定のベアラ・サービスのＱｏＳ(サービス品質)の記述に一般に使用されるようないくつかのパラメータ値を同時に示している場合には、ショートカットとして前者のベアラ・クラスを使用することができる。異なるアクセス・クラスの中で、所在位置更新、移動局側から開始される音声接続などが生じる可能性がある。
【００１７】
図４に示されている、移動局側からのイニシアチブによるＩＲＢの確立に対応する、ネットワーク側からのイニシアチブによるＩＲＢの確立は、例えば、ネットワークがページング・メッセージを移動局へ送信した場合に可能となる。次に、ＩＲＢの確立は、本発明によるＵＡＬの作動を必要とせずに、無線アクセス・ネットワークのＲＮＬプロトコル層と移動局とによって公知の方法で行われる。ネットワークのイニシアチブによって確立されたＩＲＢの準備ができたとき、ＩＲＢの確立を通知するメッセージをＵＡＬへ伝送することが可能となり、ＵＡＬはこのメッセージ中に含まれるパラメータ値を識別して、このパラメータ値を基に正しいメッセージを上位プロトコル層へ送信する。
【００１８】
本発明の特別のケースとして、ＵＡＬの下位に配置されたＲＮＬ層がＧＳＭ ＲＲ層となる状況について述べる。ＧＳＭ ＭＭがＵＡＬ上で用いられる場合、適応化は全く必要とされず、ＵＡＬが「透過的に」作動して、ＧＳＭ ＲＲとＧＳＭ ＭＭ層の間でメッセージの伝送が自明のこととして行われる。この透過的な作動は普通の適応化と呼ぶことができ、ＵＡＬが、普通の適応化か適切な適応化かのいずれかの適応化を常時行うものと一般的に考えられる。
【００１９】
移動局側からのイニシアチブによる、音声接続に対応するようなベアラ・サービスの確立について以下に述べる。名前に関する限り、図４に示されている信号接続の確立の場合と同じ名前でプロトコル層間のメッセージを呼ぶこともできる。しかし今回の場合、矢印４０２によって記述されるＲＲ ＥＳＴ ＲＥＱメッセージの中には音声接続を指す確立原因パラメータ値が含まれる。ＵＡＬは、このパラメータ値、並びに、メッセージの出所である高次プロトコルを識別し、この取得情報に基づいて、ＲＢＣ ＳＥＴＵＰ ｒｅｑメッセージの中にいくつかのパラメータを含むようにＵＡＬはプログラムされている。確立されたベアラ・サービスがサービス品質に関して所望の音声接続にできるだけ正確に対応するように、ＵＡＬは前記パラメータ値の選択を行う。ＧＳＭ ＭＭ層によって望まれるＧＳＭ音声接続がフルレートＴＣＨ(トラフィック・チャネル)を必要とする場合、使用する符号化アルゴリズムはＧＳＭ音声アルゴリズムｖ１であり、このアルゴリズムｖ１が１から１４の間で優先順位を有する。さらに、確立されたベアラ・サービスについて記述するＲＢＣ Ｓｅｔｕｐ ｒｅｑメッセージ中に含まれるパラメータを以下のテーブルに従って３つのベクトルに分けることができる。
【００２０】
【表１】
0004202603.tif 000002
【００２１】
上記テーブルで、本出願を構成する出願日に先行する第３世代デジタルＵＭＴＳセルラー無線システムと関連して様々な提案によって周知となっているようなＵＴＲＡベアラ・サービスのプロパティが適用される。
【００２２】
以下のテーブルの中に、一方でＭＭプロトコル層とＵＡＬとの間の、他方でＵＡＬとＲＮＬ間の対応するメッセージ、並びに、前記メッセージと関係するパラメータが記述されている。
【００２３】
【表２】
0004202603.tif 000003
【００２４】
以下のテーブルの中に、一方でＲＮＬとＵＡＬとの間の、また他方でＵＡＬとＭＭプロトコル層との間の対応するメッセージ、並びに、前記メッセージと関係するパラメータが記述されている。
【００２５】
【表３】
0004202603.tif 000004
【表４】
0004202603.tif 000005
【００２６】
第２世代デジタルセルラー無線システムは、可能な信号接続は別として、移動局と基地送受信局との間で一度にただ１つのトラフィック接続が可能となることを特徴としてきた。第３世代システムは同時接続の数が予め限定されない状況を目指すものである。本発明によるＵＡＬプロトコル層は、いくつかの並列サービス・アクセス・ポイントを上位方向へ提供し、ＵＡＬプロトコル層から下位方向への接続は第３世代接続となる。他のアクティブ接続が存在するしないにかかわりなく、このようにして、ＵＡＬプロトコル層を介して新しい接続の確立と古い接続の解除が可能となる。
【００２７】
本発明によって、たとえ利用可能な(第３世代)無線アクセス・ネットワークが１つにすぎないとしても、いくつかの異なるコア・ネットワークによって提供されるサービスを利用することが可能なマルチモード移動局の実現が行い易くなる。このタイプの移動局には、いくつかの上位プロトコル層のオペレーションに依存しない手段が設けられる。前記上位プロトコル層の各々は、他のプロトコルにかかわりなく、所定のサービス・アクセス・ポイントを介してＵＡＬプロトコル層の処理が可能となる。ＵＡＬは、所定のサービス・アクセス・ポイントを介して、前記上位プロトコル層の下で作動する従来技術(第２世代)のプロトコル層とまったく同じ方法を用いて、所定の上位プロトコル層との通信が可能となるので、上位プロトコル層は、従来技術による下位プロトコル層が処理されるのか、あるいは、本発明によるＵＡＬが処理されるのかを認知する必要はない。このことは、上位プロトコル層の機能用として設計された公知のコンピュータ・プログラムを、本発明を適用する移動局に対してそのままコピーできることを意味する。もし前記プロトコルのプリミティブと第３世代無線アクセス・ネットワークのＲＮＬプロトコル層のプリミティブとの間に曖昧でないマッピングを構成できれば、本発明が、ＵＡＬの上位に配置されたプロトコル層を第２世代プロトコルだけに限定するものではなく、ＵＡＬの上位に任意のプロトコルの実現が可能となることは明らかである。
【００２８】
ＵＡＬを動的に構成する、すなわちプログラミングによって適応可能にすることが可能となる。その場合、新しい高次のプロトコルが移動局の中にロードされている場合、この新しい高次のプロトコル用として少なくとも１つのサービス・アクセス・ポイントあるいはおそらくいくつかの並列サービス・アクセス・ポイントが同様に提供されるように移動局の中に既に含まれるＵＡＬを適応させることができる。
【００２９】
図５は、本発明によるＵＡＬの使用が可能な移動局のブロック図を示す。マイク５０１、増幅器５０２、Ａ/Ｄ変換器５０３及び送信機５０４によって送信部が構成される。この送信部は、受信機５１１、Ｄ/Ａ変換器５１２、増幅器５１３及びスピーカー５１４並びにこれら送受信部間で信号を制御する二重通信ブロック５０８とアンテナ５０９とから構成される受信部と同様、自明のものとして従来技術に従うことができる。最も好適には、表示装置５０６とキーボード５０７並びに記憶装置５１０と接続するマイクロプロセッサを用いることにより、制御ブロック５０５が実現されることが望ましい。ここで記憶装置５１０にはマイクロプロセッサ５０５によって実行されるプログラムが記憶されており、動作中、データ記憶場所として使用される。本発明によるアダプテーション層は記憶装置５１０に保存されたプログラムの一部として最も好適に実現される。
【図面の簡単な説明】
【図１】  図１は第３世代セルラー無線ネットワークの構成を示す。
【図２】  図２は第３世代無線アクセス・ネットワークにおけるプロトコル層を示す。
【図３】  図３は本発明によるアダプテーション層が、プロトコル層に関してどのように配置されるかを示す。
【図４】  図４は本発明の方法により接続がどのように確立されるかを示す。
【図５】  図５は本発明によるセルラー無線システム移動局を示す。
【図１】
0004202603.tif 000006
【図２】
0004202603.tif 000007
【図３】
0004202603.tif 000008
【図４】
0004202603.tif 000009
【図５】
0004202603.tif 000010